(57)【要約】      （修正有）【課題】目を引く装飾を簡単に、且つ、安価に設けることが可能な装飾付きマスクを提供する。【解決手段】本体部１０は、装着者の口及び鼻腔周辺を覆う形状及び大きさを有するシートからなる。一対の引っ掛け部１１ａ、１１ｂは、開口部１１ａ１、１１ｂ１を有し、本体部１０の両側部１０ａ、１０ｂにそれぞれ設けられ、開口部１１ａ１、１１ｂ１を装着者の両側部の耳に引っ掛けることで使用される。装飾部１２は、ラインストーン、スワロフスキー（登録商標）製クリスタル、ホットフィックス、ファンシーストーン、チャトン、ソーオンのいずれかの装飾部材を含み、本体部１０の表面１０ｃ、本体部１０の裏面、一対の引っ掛け部１１ａ、１１ｂの表面のいずれかに、接着により設けられる。【選択図】図１
0003227826.tif 000002
【実用新案登録請求の範囲】
【請求項１】
装着者の口及び鼻腔周辺を覆う形状及び大きさを有するシートからなる本体部と、
開口部を有し、前記本体部の両側部にそれぞれ設けられ、前記開口部を前記装着者の両側部の耳に引っ掛けることで使用される一対の引っ掛け部と、
ラインストーン、スワロフスキー製クリスタル、ホットフィックス、ファンシーストーン、チャトン、ソーオンのいずれかを含み、前記本体部の表面、前記本体部の裏面、前記一対の引っ掛け部の表面のいずれかに設けられる装飾部と、
を備える装飾付きマスク。
【考案の詳細な説明】
【技術分野】
【０００１】
本考案は、装飾付きマスクに関する。
【背景技術】
【０００２】
従来より、マスクに装飾品を付けたり、広告表示を行ったりして、マスクを目立たせたり、広告媒体として利用したりする技術が存在する。例えば、特開２００６−３２０４７５号公報（特許文献１）には、使用者の口許とその周辺を被覆するための本体部および該本体部の両側から使用者の頭部に装着可能なようにそれぞれ延びる装着部を有するマスクと、該マスクを内包する包装部材と、を備える配布用マスクが開示されている。このマスクには、その装着時に本体部の第三者から視認可能な位置に広告宣伝用の装飾が表示されている。これにより、広告・宣伝等の表示の効果を向上させ得る配布用マスクを提供することが出来るとしている。
【０００３】
又、特開２００７−１７１８８９号公報（特許文献２）には、粉塵及び花粉から呼吸器官を守るマスクに装着することにより、このマスクを広告媒体として活用することができる、広告スペースを備えた、着脱可能なシートが開示されている。これにより、シート数枚にそれぞれ異なる広告を表示しておくことにより、広告したい場所において交換することも可能となり、これをマスクに装着することによって、このマスクを移動広告媒体として活用できるという利点があるとしている。
【０００４】
又、実用新案登録第３１６５４１３号公報（特許文献３）には、使用者の口及び鼻腔周辺を覆う形状及び大きさを有するシート体からなるマスク本体と、マスク本体の両側に設けられる使用者の耳又は後頭部に係合する紐体からなる固定紐と、マスク本体の裏面に施される広告表示とを有する広告付きマスクが開示されている。これにより、使用者は広告表示に気を使うことなく、マスクを使用できるので、マスクの使用頻度が上がり、一日〜数日の間、使用者がマスクの着脱を行う度に広告を目にする機会が増えることになる。また、広告が使用時には隠れるので、広告をマスクの広範囲に施しても、使用者にとってあまり気になることがないとしている。
【０００５】
又、特開２０１７−１９２６７９号公報（特許文献４）には、マスクに取り付け具でアクセサリー等の装飾品を脱着可能にして、マスクを土台にコミュニケーションをアップするマスク用アクセサリーが開示されている。これにより、マスクに自由なアクセサリーをつけることで、個性の演出ができるとしている。又、一度使ったマスクを外しても、同僚等のマスクと区別ができたり、裏表の区別もしやすいとしている。
【先行技術文献】
【特許文献】
【０００６】
【特許文献１】特開２００６−３２０４７５号公報
【特許文献２】特開２００７−１７１８８９号公報
【特許文献３】実用新案登録第３１６５４１３号公報
【特許文献４】特開２０１７−１９２６７９号公報
【考案の概要】
【考案が解決しようとする課題】
【０００７】
ここで、マスクへ装飾部材を取り付ける場合、マスクに簡単に設けることが可能で、且つ、安価に設けることが出来ると好ましい。
【０００８】
特許文献１−４に記載の技術では、装飾部材の設け方や製造コストについて何ら考慮されていないという課題がある。
【０００９】
そこで、本考案は、上述の課題を解決するためになされたものであり、目を引く装飾を簡単に、且つ、安価に設けることが可能な装飾付きマスクを提供することを目的とする。
【課題を解決するための手段】
【００１０】
本考案に係る装飾付きマスクは、本体部と、一対の引っ掛け部と、装飾部と、を備える。本体部は、装着者の口及び鼻腔周辺を覆う形状及び大きさを有するシートからなる。一対の引っ掛け部は、開口部を有し、前記本体部の両側部にそれぞれ設けられ、前記開口部を前記装着者の両側部の耳に引っ掛けることで使用される。装飾部は、ラインストーン、スワロフスキー製クリスタル、ホットフィックス、ファンシーストーン、チャトン、ソーオンのいずれかを含み、前記本体部の表面、前記本体部の裏面、前記一対の引っ掛け部の表面のいずれかに設けられる。
【考案の効果】
【００１１】
本考案によれば、目を引く装飾を簡単に、且つ、安価に設けることが可能となる。
【図面の簡単な説明】
【００１２】
【図１】本考案に係る布製の装飾付きマスクの表面全体の正面図と、装着時の斜視図とである。
【図２】本考案に係る装飾付きマスクの表面全体における様々な装飾部の正面図である。
【図３】本考案に係る不織布製の装飾付きマスクの表面全体の正面図と、装着時の斜視図とである。
【図４】本考案に係るポリウレタン製の装飾付きマスクの表面全体の正面図と、斜視図と、装着時の斜視図とである。
【図５】本考案に係る装飾付きマスクの一対の引っ掛け部の表面に装飾部が設けられた場合の表面全体の正面図と、装着時の斜視図とである。
【考案を実施するための形態】
【００１３】
以下に、添付図面を参照して、本考案の実施形態について説明し、本考案の理解に供する。尚、以下の実施形態は、本考案を具体化した一例であって、本考案の技術的範囲を限定する性格のものではない。
【００１４】
本考案に係る装飾付きマスク１は、図１に示すように、本体部１０と、一対の引っ掛け部１１ａ、１１ｂと、装飾部１２と、を備える。
【００１５】
本体部１０は、装着者の口及び鼻腔周辺を覆う形状及び大きさを有するシートからなる。一対の引っ掛け部１１ａ、１１ｂは、開口部１１ａ１、１１ｂ１を有し、本体部１０の両側部１０ａ、１０ｂにそれぞれ設けられ、開口部１１ａ１、１１ｂ１を装着者の両側部の耳に引っ掛けることで使用される。装飾部１２は、ラインストーン、スワロフスキー製クリスタル、ホットフィックス、ファンシーストーン、チャトン、ソーオンのいずれかの装飾部材を含み、本体部１０の表面１０ｃに、接着により設けられる。
【００１６】
ここで、ラインストーンとは、ファセット・カットされた水晶、ガラス又はアクリル樹脂製のダイヤモンド類似石を意味する。スワロフスキー製クリスタル（スワロフスキー製クリスタルガラス）とは、通常のクリスタルガラス｛酸化鉛（ＰｂＯ）の含有量比は約２４％｝に比べ、酸化鉛が最低３２％と多くなっているクリスタルであり、光の反射加減により虹色に見えるクリスタルを意味する。ホットフィックスとは、熱で溶ける特殊なグルー（ボンド）が裏面についたラインストーンを意味する。ファンシーストーンとは、立体的ストーンを意味し、ジュエリーにインスパイアされたクラシカルなカットからトレンディなカットが施された高級ストーンのスワロフスキー製のファンシーストーンも含む。チャトンとは、裏面がＶカットのストーンを意味する。ソーオンとは、縫い付け用の穴が開いたストーンを意味する。
【００１７】
これにより、目を引く装飾を簡単に、且つ、安価に設けることが可能となる。即ち、本考案では、本体部１０の表面１０ｃに装飾部材を装飾部１２として直接接着することで、マスクの本体部に着脱可能なファスナーやスナップ等の着脱部材を設ける必要が無く、煌びやかな装飾部材だけを目立たせることが可能となり、目を引く装飾を簡単に設けることが出来る。
【００１８】
又、装飾部材は、接着により直接固定される。そのため、着脱可能な着脱部材を用いることが無いことから、部品点数が増加することなく、直接加工により、装飾部材を装飾付きマスク１の本体部１０に安価に設けることが可能となる。安価に製造することが出来るため、ノベルティグッツとしても利用することが出来る。
【００１９】
ここで、接着とは、例えば、接着剤を用いて装飾部材を本体部１０の表面１０ｃに固定することや接着シートを用いて装飾部材を本体部１０の表面１０ｃに熱転写して固定することを意味するが、他の方法により固定しても構わない。
【００２０】
又、装飾部１２の装飾部材の種類や数、構成に特に限定は無く、例えば、図１に示すように、複数種類の装飾部材を本体部１０の表面１０ｃに設けるよう構成しても良い。尚、点線で囲まれた領域は、例えば、装飾部材が設けられる領域を示し、図１には、代表的な装飾部材を示しており、他の図面でも同様である。
【００２１】
又、装飾部１２の形状や設置位置に特に限定は無いが、例えば、図１に示すように、本体部１０の表面１０ｃの下方側に沿って横長の長方形に設けられても良いし、図２に示すように、本体部１０の表面１０ｃの全面に沿った横長の長方形、本体部１０の表面１０ｃのうち、鼻腔周辺を除いた凹状の形状、本体部１０の表面１０ｃの中央に沿った縦長の長方形、本体部１０の表面１０ｃの中央に沿った横長の長方形、本体部１０の表面１０ｃの両側に沿った二つの縦長の長方形、本体部１０の表面１０ｃの上下の端部に沿った二つの横長の長方形などを挙げることが出来る。
【００２２】
又、一対の引っ掛け部１１ａ、１１ｂの構成に特に限定は無いが、例えば、図１に示すように、ゴム紐の両端を本体部１０の一方の側部１０ａ（又は他方の側部１０ｂ）の上下に固着することで構成しても良いし、本体部１０の一方の側１０ａ（又は他方の側１０ｂ）に筒体を形成し、その筒体に、ゴム紐の一方の端部を通して、ゴム紐の他方の端部に固着することで、ゴム紐のループを形成して構成しても構わない。
【００２３】
又、本体部１０の構成に特に限定は無く、図１では、長方形の布のシートで構成しても良いし、図３に示すように、立体的な展開を可能とするように左右方向に沿って設けられた複数のタック１０ｄを有する不織布のシートで構成しても良い。又、図３に示すように、装飾部１２は、複数種類の装飾部材を装飾付きマスク１の本体部１０の長手方向に沿って配置する構成にしても良い。
【００２４】
更に、装飾付きマスク１は、装飾部１２に加えて、本体部１０の表面１０ｃに、文字、図形、記号のいずれか又はこれらの組み合わせの広告用の情報を、印刷、刺繍、型押しのいずれかにより直接設けることで構成される広告表示部１３を備えても構わない。
【００２５】
ここで、印刷とは、広告用の情報に従ってインクを本体部１０の表面１０ｃに写すことを言う。刺繍とは、広告用の情報に従って糸を本体部１０の表面１０ｃに縫うことを言う。型押しとは、広告用の情報に従った凹凸のある金属盤を加熱して本体部１０の表面１０ｃに所定の圧力で押し付けることで、凹凸の模様を本体部１０の表面１０ｃに付けることを言う。
【００２６】
このように、装飾部１２に広告表示部１３を組み合わせることで、更に、目を引く装飾付きマスク１にすることが出来るとともに、広告表示部１３は直接固定するため、安価に製造することが可能となる。
【００２７】
ここで、広告表示部１３は、「ＡＢＣＤＥＦＧＨＩＪＫ」の文字や会社名、商号、名称、住所、電話番号、ファクシミリ番号、ホームページのアドレスなどでも良いし、写真や地図などの図形でも良いし、商標やロゴなどでも構わない。もちろん、広告用の情報の文字、図形、記号のサイズは問わず、本体部１０の表面１０ｃのサイズに合わせて適宜設定される。
【００２８】
又、本考案に係る装飾付きマスク１について、例えば、図４に示すように、本体部１０を、装着者の口及び鼻腔周辺の半分を覆うような二枚のポリウレタン製の略三角形状で、一方の角の近くに開口部１１ａ１、１１ｂ１を有し、残りの二つの角で囲まれた一辺で接合した形状に構成しても良い。この場合、一対の引っ掛け部１１ａ、１１ｂは、本体部１０と一体的に構成され、本体部１０の両側部１０ａ、１０ｂは、本体部１０と一対の引っ掛け部１１ａ、１１ｂとの境界に存在する。又、装飾部１２は、本体部１０の表面１０ｃの両側部（一側部）の下方（又は上方）にそれぞれ設けられても良い。このように、装飾部１２を本体部１０の表面１０ｃの一部にワンポイント的に設けることで、装着者が周りの目を気にすることなく装飾付きマスク１を装着することが出来る。尚、上述と同様に、広告表示部１３を適宜追加しても構わない。
【００２９】
又、装飾部１２は、広告表示部１３における広告用の情報のように、文字、図形、記号のいずれか又はこれらの組み合わせになるように構成しても構わない。図４では、装飾部１２は、装飾部材を「Ｃ」の字に配置して、「Ｃ」の字を表したり、装飾部材を「０」の字に配置して、「０」の字を表したりしている。これにより、装飾部１２は、広告表示部１３を兼ねることが可能となる。
【００３０】
又、上述では、装飾部１２は、本体部１０の表面１０ｃに装飾部材が設けることで構成したが、他の実施形態として、図示しないが、本体部１０の裏面に装飾部材が設けられることで構成されても構わない。
【００３１】
又、上述では、装飾部１２は、本体部１０の表面１０ｃ又は裏面に装飾部材を設けることで構成したが、他の実施形態として、例えば、図５に示すように、一対の引っ掛け部１１ａ、１１ｂの表面に、装飾部材を設けることが出来るスペースが存在する場合は、装飾部１２は、一対の引っ掛け部１１ａ、１１ｂの表面に装飾部材を設けることで構成しても構わない。図５では、複数のタック１０ｄを有する不織布の本体部１０を一例として挙げているが、布製であってもポリウレタン製であっても良いし、他の材質であっても構わない。一対の引っ掛け部１１ａ、１１ｂが紐で構成されず、帯で構成されている場合には、装飾部材を設けることが出来る。尚、装飾部材の位置に特に限定は無く、一対の引っ掛け部１１ａ、１１ｂの一端又は両端の近傍でも良いし、中央でも良い。
【００３２】
ここで、装飾部材を設ける場合、一対の引っ掛け部１１ａ、１１ｂのいずれか、又は両方に設けても良い。尚、上述のように、装飾部１２に加えて、広告表示部１３を、本体部１０の表面１０ｃ又は裏面に設けても構わない。これにより、装飾部１２による目を引く効果と、宣伝広告の効果を更に得ることが可能となる。もちろん、広告表示部１３を装飾部材で構成して、装飾部１２を広告表示部１３に兼ねても構わない。
【産業上の利用可能性】
【００３３】
以上のように、本考案に係る装飾付きマスクは、布製のマスクはもちろん、不織布製のマスクやポリウレタン製のマスクなど、あらゆるマスクに有用であり、目を引く装飾を簡単に、且つ、安価に設けることが可能な装飾付きマスクとして有効である。
【符号の説明】
【００３４】
１  装飾付きマスク
１０  本体部
１１ａ、１１ｂ  一対の引っ掛け部
１２  装飾部
【図１】
0003227826.tif 000003
【図２】
0003227826.tif 000004
【図３】
0003227826.tif 000005
【図４】
0003227826.tif 000006
【図５】
0003227826.tif 000007
【手続補正書】
【提出日】令和2年6月11日(2020.6.11)
【手続補正１】
【補正対象書類名】実用新案登録請求の範囲
【補正対象項目名】全文
【補正方法】変更
【補正の内容】
【実用新案登録請求の範囲】
【請求項１】
装着者の口及び鼻腔周辺を覆う形状及び大きさを有するシートからなる本体部と、
開口部を有し、前記本体部の両側部にそれぞれ設けられ、前記開口部を前記装着者の両側部の耳に引っ掛けることで使用される一対の引っ掛け部と、
ラインストーン、スワロフスキー（登録商標）製クリスタル、ホットフィックス、ファンシーストーン、チャトン、ソーオンのいずれかを含み、前記本体部の表面、前記本体部の裏面、前記一対の引っ掛け部の表面のいずれかに設けられる装飾部と、
を備える装飾付きマスク。